(57)【要約】  双眼式表示装置は、ある範囲の瞳孔間距離にわたって現れる表示スクリーン間の光学的コントラストのバランスの悪さという問題を、表示スクリーン間のコントラストの非対称性を逆方向に向けることによって解決する。
2009522619.tif 000002
【特許請求の範囲】
【請求項１】
使用者の左右の目のための左右の表示スクリーンを備えた双眼式表示装置であって、
各表示スクリーンは視線の角度によって変化する光学的コントラスト特性を有し、このコントラストは第１視線角度において最大となり、この第１視線角度よりも視線角度が大きくまたは小さくなると、非対称に減少し、
これら表示スクリーンは、視線角度によるコントラストの変化の仕方が左右の表示スクリーンにおいて逆になるように、使用者に対して取り付けられていることを特徴とする双眼式表示装置。
【請求項２】
上記表示スクリーンが互いに似たコントラスト特性を示し、一方の表示スクリーンを他方の表示スクリーンに対して回転させたことを特徴とする、請求項１に記載の双眼式表示装置。
【請求項３】
上記左右の表示スクリーンに接続された左右の信号源をさらに備え、上記表示スクリーンの相対回転に対応して、左右の信号が左右の表示スクリーン上に上下関係の正しい像を生成するようになされていることを特徴とする、請求項２に記載の双眼式表示装置。
【請求項４】
それぞれの視軸に沿って見るために視覚装置内に搭載された左右の表示スクリーンを備えた双眼式表示装置であって、
各表示スクリーンは、それぞれの視軸を含むラテラル平面内で、ピークコントラストの方向から非対称に変化する方向感受性コントラストを示し、
左右の表示スクリーンが示す上記非対称コントラストは、ラテラル平面内で反対方向を向いていることを特徴とする双眼式表示装置。
【請求項５】
上記左右の表示スクリーンが互いに似た非対称コントラストを示し、一方の表示スクリーンを他方の表示スクリーンに対して回転させることにより、左右の表示スクリーンの非対称コントラストが、ラテラル平面内において反対方向を向くようにしたことを特徴とする、請求項４に記載の双眼式表示装置。
【請求項６】
一方の表示スクリーンを他方の表示スクリーンに対して回転させることにより、２つの表示スクリーンが示す非対称なコントラストの間に実質的な逆対称性をもたらすようにしたことを特徴とする、請求項５に記載の双眼式表示装置。
【請求項７】
左右の表示スクリーンが異なった非対称コントラストを示し、その非対称コントラストが互いに鏡面対称に近づくように表示スクリーンの方向を定めることを特徴とする、請求項４に記載の双眼式表示装置。
【請求項８】
それぞれの視軸に沿って見るために視覚装置内に搭載された左右の表示スクリーンを備えた双眼式表示装置であって、
各表示スクリーンは、ピークコントラスト方向を有する方向感受性コントラストを示し、
上記ピークコントラスト方向は、それぞれの視軸を含むラテラル平面内でそれぞれの視軸に対して傾斜しており、
上記ピークコントラスト方向は、ラテラル平面内でそれぞれの視軸に対して反対方向を向いていることを特徴とする双眼式表示装置。
【請求項９】
上記表示スクリーンが示す方向感受性コントラストが、ピークコントラスト方向を中心として非対称に変化することを特徴とする、請求項８に記載の双眼式表示装置。
【請求項１０】
上記左右の表示スクリーンが示す非対称なコントラストがラテラル平面内において逆方向を向くように、これら表示スクリーンが配置されていることを特徴とする、請求項９に記載の双眼式表示装置。
【請求項１１】
使用者の左右の目で見るために視覚装置内に搭載された左右の表示スクリーンを備えた双眼式表示装置であって、
両表示スクリーンは、所定の上下方向を有するとともに、ピークコントラスト方向を中心にして非対称に変化する、互いに似た方向感受性コントラストを示し、
視覚装置内で左右の表示スクリーンの一方を他方の表示スクリーンに対して回転させることにより、非対称なコントラストが使用者の左右の目に対して異なる方向を向くようにし、それによって、ある範囲の異なる瞳孔間距離において使用者の左右の目に示されるコントラストの差を減じることを特徴とする双眼式表示装置。
【請求項１２】
左右の表示スクリーンを互いに横方向一直線に整列した状態から外れるように相対的に変位させ、使用者の左右の目に示されるコントラストの差がさらに小さくなるようにしたことを特徴とする、請求項１１に記載の双眼式表示装置。
【請求項１３】
第1、第２アイボックスを有する視覚装置内に搭載された第１、第２表示スクリーンを備え、使用者が第１、第２アイボックス内でそれぞれ第１、第２表示スクリーンを見ることができるようにした双眼式表示装置であって、
上記第１、第２表示スクリーンは、上記第１、第２アイボックスに向けられた第１、第２視軸を有し、
上記第１、第２表示スクリーンは、それぞれ第１、第２視軸に対して傾斜したピークコントラスト方向を示し、
これらピークコントラスト方向が第１、第２視軸に対して互いに異なる方向に延びるように、第１表示スクリーンを第２表示スクリーンに対して方向付けし、これにより、ある範囲の瞳孔間距離において使用者の異なる目の間にみられるコントラストの差を低減することを特徴とする双眼式表示装置。
【請求項１４】
上記第１表示スクリーンを上記第２表示スクリーンに対して回転させ、これにより第１、第２表示スクリーンのピークコントラスト方向が反対方向を向くようにすることを特徴とする、請求項１３に記載の双眼式表示装置。
【請求項１５】
第１、第２表示スクリーンが示すコントラストは、ピークコントラスト方向を中心にして非対称に変化する方向感受性コントラストであることを特徴とする、請求項１３に記載の双眼式表示装置。
【請求項１６】
非対称なコントラストが、好ましくは使用者の左右の目に対して異なった方向に延びることを特徴とする、請求項１５に記載の双眼式表示装置。
【請求項１７】
左右の表示スクリーンを横方向一直線に整列した状態から外れるように相対的に移動させ、これにより使用者の左右の目に示されるコントラストの差がさらに小さくなるようにしたことを特徴とする、請求項１３に記載の双眼式表示装置。
【発明の詳細な説明】
【技術分野】
【０００１】
本発明は一般的に双眼式ビデオ表示装置に関し、特に、光学的コントラストの不一致を呈する既存の装置と較べて、光学的コントラストの一致性を向上させた双眼式ビデオ表示装置に関する。
【背景技術】
【０００２】
従来の双眼式表示装置は、左右の表示スクリーンで作られた画像を使用者の左右の目に提示する。表示スクリーンの画像は光学系によって、一般的に虚像として、使用者の目に伝達される。このような双眼式表示装置は、静止画像または動画像を平面形式または立体形式で再生するための、頭部、手、テーブル、その他に搭載される表示装置等、広範な用途に適用される。
【発明の開示】
【発明が解決しようとする課題】
【０００３】
このような双眼式表示装置において使用者の快適性を増減させるひとつの特性は、左右の表示スクリーンから使用者の目に提示される光学的コントラストの相対的関係である。使用者の一方の目が受け取る画像のコントラストが、他方の目が受け取る画像のコントラストよりも知覚できるほど大きい場合、その使用者は視覚的不快感や頭痛等を覚え、そのため、双眼式表示装置を長時間使用することが出来なくなるかもしれない。本発明は、このような双眼式表示装置におけるコントラストの一致性の向上を目的のひとつとしている。
【０００４】
視線角度による光学的コントラストの大幅な変化は、ある種の表示スクリーンの特徴である。表示スクリーンは一般的に軸上の視線方向（通常、表示スクリーン表面に直角）に沿って、最適コントラストを提供するものと考えられているが、一部の表示スクリーンにおいては、若干異なる視線角度、たとえば軸方向から１２度離れた角度で最適コントラストを提供する。しかも、一部の表示スクリーンにおいては、最適コントラストからの変化が、最適視線角度を中心として対称になっていない。すなわち、一方向への角度の増加に伴うコントラストの減少はなだらかであるが、反対方向への角度の増加に伴うコントラストの減少は急激になる。
【０００５】
所定の瞳孔間距離（ＩＰＤ）を有する使用者を対象として、コントラストが一致するように左右の表示スクリーンを配置した双眼式表示装置を作ることは可能であるが、使用者の瞳孔間距離は個人差が大きい。たとえば、成人の瞳孔間距離は、たいてい、約５２ｍｍから約７２ｍｍの範囲である。使用者の左右の目に提示される視線角度は、使用者の瞳孔間距離が変わると、逆の方向に変化する（ただし、通常のように、使用者の両眼が双眼式表示装置の中心から常に等距離離れていると仮定した場合）。周知の双眼式表示装置が平均的瞳孔間距離、たとえば６１ｍｍのときコントラストが等しくなるよう設定されていると仮定すると、この間隔からのずれは、コントラストの低下を招くばかりか、左右両眼におけるコントラストの変化を不均等にし、上述の生理学的不快感をきたしかねないことが理解されよう。
【課題を解決するための手段】
【０００６】
本発明の好ましい実施形態は、光学的コントラストの一致性を向上させた双眼式表示装置を特長とするもので、上記問題を解決している。非対称な方向感受性コントラストは使用者の左目と右目との間でバランスをとることができる。すなわち、特定の瞳孔間距離（ＩＰＤ）を有する使用者のみならず、異なった瞳孔間距離を有する者、すなわち双眼式表示装置が想定する平均瞳孔間距離より大きい、または小さい使用者に対して、上記バランスをとることができる。本発明の効果としては、目の疲労、頭痛等の不快感を軽減できること、および双眼式表示装置を長く見ることができること等がある。  
【０００７】
本発明の一態様について簡潔に述べると、コントラストの一致性を向上させた双眼式表示装置は、使用者の左右の目のための左右の表示スクリーンを備えている。各表示スクリーンは、所望の光学系を介して使用者の両眼に提示される際に、視線の角度によって変化するコントラスト特性を有している。このコントラストは第１視線角度において最大となり、視線角度が第１視線角度より大きくまたは小さくなると、非対称に減少する。表示スクリーンは、視線角度によるコントラストの非対称な変化の仕方が左右の表示スクリーンにおいて逆になるように、使用者に対して取り付けられている。  
【０００８】
使用者の左右の目に提示される視線角度は、使用者の瞳孔間距離の変化に伴って逆方向に変化するが、本発明においては、ある範囲の瞳孔間距離において、使用者の左右の目に映るコントラストの増減を常に似たものとすることが出来る。２つの表示スクリーンは似たコントラスト特性を示していてもよく、表示スクリーンの一方を他方の表示スクリーンに対して１８０度回転させて、ある範囲の瞳孔間距離においてコントラストのバランスをとるようにすることが出来る。好ましくは、左右の信号源を左右の表示スクリーンにそれぞれ接続し、これら左右の信号源が表示スクリーンの相対回転に対応して、左右の両表示スクリーン上に上下関係の正しい像を生成するようになされている。  
【０００９】
本発明の別の一態様によれば、双眼式表示装置は、それぞれの視軸に沿って見るために視覚装置内に搭載された、左右の表示スクリーンを備えている。各表示スクリーンは、それぞれの視軸を含むラテラル平面内でピークコントラスト方向から非対称に変化する、方向感受性コントラストを示す。左右の表示スクリーンが示すこの非対称なコントラストは、ラテラル平面内において反対方向を向いている。
【００１０】
左右の表示スクリーンは似た非対称コントラストを示していてもよく、一方の表示スクリーンを他方の表示スクリーンに対して回転させて、左右の表示スクリーンの非対称なコントラストがラテラル平面内において反対方向を向くようにすることが出来る。たとえば、一方の表示スクリーンを他方の表示スクリーンに対して回転させることにより、２つの表示スクリーンによって示される非対称なコントラストの間に実質的な逆対称性（左―右、右―左）をもたらすようにすることが出来る。
【００１１】
本発明の別の一態様によれば、双眼式表示装置は、それぞれの視軸に沿って見るために視覚装置内に搭載された左右の表示スクリーンを備えている。各表示スクリーンは、ピークコントラスト方向を有する方向感受性コントラストを示す。ピークコントラスト方向は、それぞれの視軸を含むラテラル平面内でそれぞれの視軸に対して傾斜している。また、これらピークコントラスト方向は、ラテラル平面内でそれぞれの視軸に対して反対方向を向いている。
【００１２】
表示スクリーンが示す方向感受性コントラストは、ピークコントラスト方向を中心として非対称に変化してもよく、これら表示スクリーンは、左右の表示スクリーンが示す非対称なコントラストがラテラル平面内において反対方向を向くように配置してもよい。
【００１３】
本発明のさらに別の一態様によれば、双眼式表示装置は、使用者の左右の目で見るために視覚装置内に搭載された、左右の表示スクリーンを備えている。両表示スクリーンはメーカーの仕様等による所定の上下方向を有し、ピークコントラスト方向を中心として非対称に変化する、似た方向感受性コントラストを示す。左右の表示スクリーンの一方は、視覚装置内で他方の表示スクリーンに対して上下が逆さまになるように回転されることにより、非対称なコントラストが使用者の左右の目に対して逆方向を向き、それによってある範囲の異なる瞳孔間距離において使用者の左右の目に示されるコントラストの差を低減するようになっている。
【００１４】
本発明のさらに別の一態様によれば、第1、第２アイボックスを有する視覚装置内に搭載された第１、第２表示スクリーンを備え、使用者が第１、第２アイボックス内でそれぞれ第１、第２表示スクリーンを見ることができるようにした双眼式表示装置を特長としている。第１、第２表示スクリーンは、第１、第２アイボックスの方向に向けられた第１、第２視軸を有する。第１、第２表示スクリーンは、それぞれ第１、第２視軸に対して傾斜したピークコントラスト方向を示す。これらピークコントラスト方向が第１、第２視軸に対して互いに異なる方向に延びるように、第１表示スクリーンを第２表示スクリーンに対して方向付けし、これにより、ある範囲の瞳孔間距離において使用者の異なる目の間にみられるコントラストの差を低減する。
【００１５】
第１表示スクリーンを第２表示スクリーンに対して回転させ、これにより第１、第２表示スクリーンのピークコントラスト方向が反対方向を向くようにさせてもよい。第１、第２表示スクリーンが示すコントラストは、ピークコントラスト方向を中心に非対称に変化する方向感受性コントラストであってもよい。この非対称なコントラストも好ましくは、使用者の左右の目に対して異なった方向に延びる。
【００１６】
表示スクリーンの方向性コントラストは、（ａ）２つの表示スクリーンの視軸を含むラテラル平面内および（ｂ）直交するサジタル平面内の両方において非対称に変化することが出来る。方向性コントラストが左右の表示スクリーン間において似たものであれば、ラテラル平面内の方向性コントラストの非対称性は、表示スクリーンの一方を他方に対して回転させることによって、ある範囲の瞳孔間距離の使用者の左右の目でバランスをとることが出来る。方向性コントラストが左右の表示スクリーン間で異なっている場合は、ラテラル平面内の方向性コントラストの非対称性を、使用者の左右の目の間で少なくとも部分的にバランスをとることができるように、表示スクリーンを対にすることができる。対をなす左右の表示スクリーンのサジタル平面における方向性コントラストの非対称性は、通常は瞳孔間距離の変化によってバランスを失うことはないが、２つの表示スクリーンを相対回転させることによってバランスを失う可能性はある。しかし、左右の表示スクリーンをサジタル平面方向に相対的に移動させることにより、バランスの悪さを低減することが出来る。
【発明を実施するための最良の形態】
【００１７】
参照のため、図１に双眼式表示装置１０を示す。共通ハウジング１２の中では、左右のアイボックス１８、２０内で使用者の左右の目２２、２４に左右の表示スクリーン１４、１６が見える。好ましくは、光学系２６，２８は集光光学系（図示せず）を備え、アイボックス１８、２０内で見ることのできる表示スクリーン１４、１６の拡大した虚像を生成できるようになっている。  
【００１８】
表示スクリーン１４、１６は、好ましくは、拡大せずに人間の目で通常識別出来る以上の情報を含む静止画または動画の実像を生成することのできる、コンパクトな高解像度画像生成器である。この目的では、バックライト式液晶表示装置（ＬＣＤ）が好ましく、マサチューセッツ州のKopin CorporationのKopin 230K CyberDisplays、製品番号＃KCD−QDLF−AAはその一例である。この表示装置は、通常の光学的レンズシステムを通して、固定瞳孔間距離が６３．５ｍｍで、対角視野が２４度になるように搭載されている。しかし、反射型液晶ディスプレイ（ＬＣＯＳ）、有機発光ダイオード（ＯＬＥＤ）、電界放出ディスプレイ（ＦＥＤ）、ブラウン管ディスプレイ（ＣＲＴ）等、他のさまざまな表示スクリーンを用いてもよい。  
【００１９】
各表示スクリーン１４，１６は、それぞれの光学系２６，２８とともに、表示スクリーン１４，１６が生成した画像をそれぞれのアイボックス１８、２０に送るための超小型ディスプレイエンジンを形成する。このような超小型ディスプレイエンジンの例は、米国特許公開公報２００５／０１８００２１（Travers）、名称「超小型ディスプレイエンジン」で開示されており、その開示は引用によりここに組み込まれる。好ましくは、表示スクリーン１４，１６は、画像を生成するために、個々にアドレス指定可能な画素を備えている。画像としては、デジタルファイルや内蔵ドライバおよび外部ドライバを含む他の画像ソース（画像源）３０から転送可能な画像等がある。このような画像ソースの例としては、ＤＶＤプレーヤー、ＡＶ携帯電話、マルチメディアプレーヤー、ゲームコンソール等がある。光学系２６、２８は、好ましくは、表示スクリーン１４、１６によって生成された画像を虚像として拡大するための反射型集光光学系（図示せず）と、表示スクリーン１４、１６とアイボックス１８、２０との間の光路を曲げて、よりコンパクトな構成にするビームスプリッタ（図示せず）とを含む。  
【００２０】
アイボックス１８、２０は、線形の直交する次元を画成する。これら次元内において、使用者の目２２、２４は、光学系２６、２８の視軸（viewing axes）、つまり光軸(optical axes)３２、３４と直角する方向に相対的に移動可能であるが、表示スクリーン１４、１６によって生成された画像は、常に完全に見ることが出来る。ほとんどのヘッドマウント型双眼式表示装置において、少なくとも８ｍｍ×１３ｍｍの大きさのアイボックスが望ましい。  
【００２１】
表示スクリーン１４、１６は、アイボックス１８、２０内において、ある範囲の視線の角度（viewing angle、見る角度）で見ることができ、左右の目の間の瞳孔間距離（ＩＰＤ）が異なる使用者に対応できるようになっている。たとえば、図１において使用者の目２２、２４はそれぞれアイボックス１８、２０の中央に位置しており、その瞳孔間距離は瞳孔間距離の中央値ＤＭＥＤ、約６１ｍｍである。約５２ｍｍから７２ｍｍの範囲での最小瞳孔間距離ＤＭＩＮおよび最大瞳孔間距離ＤＭＡＸも、アイボックス１８、２０に適合し、成人人口のほとんどに対応出来るようになっている。  
【００２２】
一部の表示スクリーン、特に液晶ディスプレイ（ＬＣＤ）の特徴は、画像コントラスト、すなわち画像の明るい部分と暗い部分との輝度の差が、視線角度によって非対称に変化することである。たとえば、図２のグラフに示すように、視線角度が視軸３２、３４から傾斜角α（たとえば１２度）だけ離れたとき、ピークコントラスト方向３８となっている。また、このピークコントラスト方向３８の両側では、視線角度に応じてコントラストは非対称に減少する。たとえば、視線角度がマイナス方向に大きくなる際にはコントラストは非常にゆるやかに減少し、視線角度がプラス方向へ大きくなる際にはコントラストは急激に減少する。
【００２３】
図３、図４は、表示コントラストの上記のような非対称な変化において、瞳孔間距離の中央値ＤＭＥＤにある使用者の両眼２２，２４でのコントラストがどのようにして釣り合うことができるか、表示コントラストの同じ非対称な変化において、図４に示す最大瞳孔間距離ＤＭＡＸのような他の瞳孔間距離にある別の使用者の両目４２、４４でのコントラストがどのようにして不釣合いとなるのかを示す。コントラストは陰影によって表現され、つまりコントラストが大きいほど陰影が濃くなる。図３における使用者の両目２２、２４にはほぼ同じコントラストが示されている。したがって、瞳孔間距離中央値ＤＭＥＤにおいて、コントラストは左右の目２２、２４の間で釣り合っている。しかし、図４に示す最大瞳孔間距離ＤＭＡＸのように、瞳孔間距離がより大きくまたは小さくなると、左右の目４２、４４に示されるコントラストの大きさは異なる。つまり、左右の表示スクリーン１４、１６に表示されるコントラストの非対称な変化が同じである結果、最大瞳孔間距離ＤＭＡＸを有する使用者の場合、左目４２に示されるコントラストが同じ使用者の右目４４に示されるコントラストよりもはるかに小さくなる。一方、最小瞳孔間距離ＤＭＩＮを有する使用者の場合、左目に示されるコントラストは同じ使用者の右目に示されるコントラストよりもはるかに大きくなる。使用者の左右の目の間のコントラストの不一致は、ピークコントラスト方向３８を中心としたコントラスト分布の非対称性に起因すると考えることができるが、ピークコントラスト方向３８が図示のように視軸３２、３４に対して角度αだけ傾斜しているとき、さらに不一致の程度が高まる。  
【００２４】
図５、６は新しい双眼式表示装置５０を示す。この双眼式表示装置５０は双眼式表示装置１０と共通の要素を有しており、共通の要素には共通の参照番号を付す。この双眼式表示装置５０の表示スクリーン１４は参照番号１４Ａで表わされており、この表示スクリーン１４Ａは、双眼式表示装置１０の表示スクリーン１４とは逆向きに（視軸３２を中心に１８０度回転した状態で）配置されている。図７は表示スクリーン１４Ａが表示スクリーン１６に対して１８０度回転した状態を示し、この回転がピークコントラスト方向３８に与える効果を逆対称性（左―右、右―左）という形で表わしている。ここでは、新しいピークコントラスト方向３８Ａは逆方向に延びている。表示スクリーン１６、１４Ａのピークコントラスト方向３８、３８Ａはいずれも外側を向いているが、ピークコントラスト方向３８、３８Ａを内側に向けてもよく（すなわち、横方向の成分が互いに向き合うようにする）、使用者によってはその方が好ましい場合もあろう。
【００２５】
表示スクリーン１４Ａ、１６はもともと実質的に同一に製造されたもので、指定された上辺および底辺５２、５４をそれぞれ有し、共通のピークコントラスト方向３８を有し、ピークコントラスト方向３８を中心とした共通の非対称なコントラスト特性を呈している。図２に示すコントラスト特性は、表示スクリーン１４Ａ、１６のそれぞれの視軸３２、３４を含むラテラル平面５６内において考察されたものである。したがって、表示スクリーン１４Ａを図のように回転させると、表示スクリーン１４Ａのコントラスト特性は、図８に示すように、ラテラル平面５６上において逆転する。表示スクリーン１４Ａの個々の画素をアドレス指定するための信号を同様に再配列し、表示スクリーン１４Ａの元の底辺５４を上辺としてアドレス指定し、表示スクリーン１４Ａの元の上辺５２を底辺としてアドレス指定する必要がある。
【００２６】
図５、６で例示するように、双眼式表示装置５０のラテラル平面５６における視線角度によるコントラストの変化は、ある範囲の異なる瞳孔間距離において左右の目６２、６４または６６、６８の間でバランスがとれている。図５において、使用者の両眼６２，６４は最大瞳孔間距離ＤＭＡＸだけ離間しており、両眼６２，６４とも、同様の高コントラスト領域に入っている。図６において、使用者の両眼６６，６８は最小瞳孔間距離ＤＭＩＮだけ離間しており、両眼６６，６８とも、同様の低コントラスト領域に入っている。コントラストは高い方が低いよりも好ましいが、左右の目６２、６４または６６、６８の間でコントラストのバランスがとれていれば、双眼式表示装置１０に見られるような、コントラストのバランスの悪さに関連した目の疲労、頭痛、その他の不快症状を、図４に示すような平均から外れた瞳孔間距離を有する使用者が経験することを回避できる。しかも、コントラストのバランスのとれた双眼式表示装置５０は、広範な瞳孔間距離の使用者が長時間視ることを可能にする。表示スクリーン１４Ａ、１６をアイボックス１８、２０に対して若干傾け、あるいはずらすことにより、最小瞳孔間距離ＤＭＩＮと最大瞳孔間距離ＤＭＡＸとの間で、より均等にコントラストのバランスがとれるようにしてもよい。  
【００２７】
視線角度に伴うコントラストの非対称な変化は、垂直なサジタル平面７０においてピークコントラスト方向３８がいずれか一方側を向くようなコントラストの非対称性を含んでいてもよい。対をなす左右の表示スクリーン１４、１６のサジタル平面７０における方向に応じたコントラストの非対称性は、一般的に瞳孔間距離の変化によってバランスを損なわれることはないが、図５―図７に示すように２つの表示スクリーン１４Ａ、１６を相対回転させるとバランスを損ないかねない。しかし、図９に示すように、左右の表示スクリーン１４Ａ、１６を矢印７２、７４の方向に相対的に移動させ、バランスの悪さを低減することが出来る。この相対的移動によって、表示スクリーンの重なり合う作業領域が領域７６、７８に狭められるが、この領域はラテラル平面５６に関してバランスがとれている。
【００２８】
実質的に同一の表示スクリーン１４、１６を有する双眼式表示装置の改良として述べてきたが、本発明はまた、ピークコントラスト方向を中心に異なった非対称のコントラスト変化を示す表示スクリーンを有する双眼式表示装置としても実施することが出来る。たとえば、このような表示スクリーンを、非対称なコントラスト特性によって対にし、対をなす表示スクリーンでの視線角度に伴うコントラストの非対称性が、共通のラテラル平面内において鏡面対称に近づくようにしてもよい。こうすれば、瞳孔間距離の変化に伴う左右のアイボックス内のコントラストの変化は、使用者の両眼にとってより実質的に等しい状態に維持される。
【図面の簡単な説明】
【００２９】
【図１】双眼式表示装置の概略平面図であり、左右の表示スクリーンを見ることが出来る瞳孔間距離の範囲を示す。
【図２】視線角度の関数としてのコントラストのグラフであり、最大コントラストとなる視線角度から両方向への、非対称なコントラストの分布を示す。
【図３】同双眼式表示装置の概略平面図であり、平均瞳孔間距離だけ離れた一対の目のための表示スクリーンの視軸に対して、最大コントラスト方向が傾斜している様子を示す。
【図４】同双眼式表示装置の概略平面図であり、この表示装置が対応可能な最大瞳孔間距離に近い距離だけ離れた一対の目との関係を示したものである。
【図５】改良型双眼式表示装置の概略平面図であり、この表示装置が対応可能な最大瞳孔間距離に近い距離だけ離れた一対の目に対してコントラストのバランスをとるために、一方の表示スクリーンを他方に対して回転させたものである。
【図６】同改良型双眼式表示装置の概略平面図であり、この表示装置が対応可能な最小瞳孔間距離に近い距離だけ離れた一対の目に対してコントラストのバランスをとるために、一方の表示スクリーンを他方に対して回転させたものである。
【図７】２つの表示スクリーンの概略正面図であり、ラテラル平面におけるコントラストのバランスをとるために一方のスクリーンを他方に対して回転させた様子を示す。
【図８】コントラストの非対称な変化が、左右の表示スクリーンにおいて逆方向を向いている様子を示した一対のグラフである。
【図９】２つの相対回転した表示スクリーンの概略正面図であり、サジタル平面におけるコントラストのバランスをとるため、一方のスクリーンを他方に対して偏倚させた様子を示す。
【図１】
2009522619.tif 000003
【図２】
2009522619.tif 000004
【図３】
2009522619.tif 000005
【図４】
2009522619.tif 000006
【図５】
2009522619.tif 000007
【図６】
2009522619.tif 000008
【図７】
2009522619.tif 000009
【図８】
2009522619.tif 000010
【図９】
2009522619.tif 000011
【国際調査報告】
2009522619.tif 000012